(57)【特許請求の範囲】
【請求項１】
複数のマイクロホンユニットと、
該複数のマイクロホンユニットよりの複数の音声信号に基づく左及び右チャンネル音声信号のうちの一方の音声信号から他方の音声信号を減算して、差分音声信号を得る減算手段と、
該減算手段よりの差分音声信号が供給されて、風音信号の帯域成分を抽出する第１の抽出手段と、
該第１の抽出手段よりの抽出信号が供給される第１の可変利得手段と、
上記一方の音声信号から、上記可変利得手段の出力信号を減算する第１の演算手段と、
上記他方の音声信号及び上記可変利得手段の出力信号を加算する第２の演算手段と、
上記第１及び第２の演算手段の出力信号を加算する加算手段と、
該加算手段の出力信号が供給されて、上記風音信号の帯域成分を抽出する第２の抽出手段と、
該第２の抽出手段よりの抽出信号が供給される第２の可変利得手段と、
上記第１及び第２の演算手段からの出力信号から、上記第２の可変利得手段の出力信号を減算する第３及び第４の演算手段と、
上記減算手段よりの差分音声信号が供給されて、上記風音信号の低域成分を抽出する第３の抽出手段と、
該第３の抽出手段よりの抽出信号が供給されて、上記風音信号の調整可能なレベル検波信号を発生する検波手段であって、上記第３の抽出手段よりの抽出信号が供給される第３の可変利得手段と、該第３の可変利得手段の出力信号が供給される絶対値化手段と、該絶対値化手段の出力信号が供給されるクリップレベル可変型ベースノイズクリップ手段と、該クリップレベル可変型ベースノイズクリップ手段よりの出力信号が供給されるレベル検波手段と、該レベル検波手段の出力信号が供給される最大リミッタ値可変型最大値リミッタ手段を備える検波手段とを有し、
該検波手段よりのレベル検波信号によって、上記第１及び第２の可変利得手段の利得を可変する
マイクロホン装置。
【請求項２】
記録媒体より再生された、それぞれ風音信号を含む複数の音声信号に基づく左及び右チャンネル音声信号のうちの一方の音声信号から他方の音声信号を減算して、差分音声信号を得る減算手段と、
該減算手段よりの差分音声信号が供給されて、風音信号の帯域成分を抽出する第１の抽出手段と、
該第１の抽出手段よりの抽出信号が供給される第１の可変利得手段と、
上記一方の音声信号から、上記可変利得手段の出力信号を減算する第１の演算手段と、
上記他方の音声信号及び上記可変利得手段の出力信号を加算する第２の演算手段と、
上記第１及び第２の演算手段の出力信号を加算する加算手段と、
該加算手段の出力信号が供給されて、上記風音信号の帯域成分を抽出する第２の抽出手段と、
該第２の抽出手段よりの抽出信号が供給される第２の可変利得手段と、
上記第１及び第２の演算手段からの出力信号から、上記第２の可変利得手段の出力信号を減算する第３及び第４の演算手段と、
上記減算手段よりの差分音声信号が供給されて、上記風音信号の低域成分を抽出する第３の抽出手段と、
該第３の抽出手段よりの抽出信号が供給されて、上記風音信号の調整可能なレベル検波信号を発生する検波手段であって、上記第３の抽出手段よりの抽出信号が供給される第３の可変利得手段と、該第３の可変利得手段の出力信号が供給される絶対値化手段と、該絶対値化手段の出力信号が供給されるクリップレベル可変型ベースノイズクリップ手段と、該クリップレベル可変型ベースノイズクリップ手段よりの出力信号が供給されるレベル検波手段と、該レベル検波手段の出力信号が供給される最大リミッタ値可変型最大値リミッタ手段を備える検波手段とを有し、
該検波手段よりのレベル検波信号によって、上記第１及び第２の可変利得手段の利得を可変する
再生音声信号の処理装置。
【請求項３】
それぞれ風音信号を含む複数の音声信号に基づく左及び右チャンネル音声信号のうちの一方の音声信号から他方の音声信号を減算して、差分音声信号を得る減算手段と、
該減算手段よりの差分音声信号が供給されて、風音信号の帯域成分を抽出する第１の抽出手段と、
該第１の抽出手段よりの抽出信号が供給される第１の可変利得手段と、
上記一方の音声信号から、上記可変利得手段の出力信号を減算する第１の演算手段と、
上記他方の音声信号及び上記可変利得手段の出力信号を加算する第２の演算手段と、
上記第１及び第２の演算手段の出力信号を加算する加算手段と、
該加算手段の出力信号が供給されて、上記風音信号の帯域成分を抽出する第２の抽出手段と、
該第２の抽出手段よりの抽出信号が供給される第２の可変利得手段と、
上記第１及び第２の演算手段からの出力信号から、上記第２の可変利得手段の出力信号を減算する第３及び第４の演算手段と、
上記減算手段よりの差分音声信号が供給されて、上記風音信号の低域成分を抽出する第３の抽出手段と、
該第３の抽出手段よりの抽出信号が供給されて、上記風音信号の調整可能なレベル検波信号を発生する検波手段であって、上記第３の抽出手段よりの抽出信号が供給される第３の可変利得手段と、該第３の可変利得手段の出力信号が供給される絶対値化手段と、該絶対値化手段の出力信号が供給されるクリップレベル可変型ベースノイズクリップ手段と、該クリップレベル可変型ベースノイズクリップ手段よりの出力信号が供給されるレベル検波手段と、該レベル検波手段の出力信号が供給される最大リミッタ値可変型最大値リミッタ手段を備える検波手段とを有し、
該検波手段よりのレベル検波信号によって、上記第１及び第２の可変利得手段の利得を可変する
音声信号の風音低減装置。
【発明の詳細な説明】
【０００１】
【発明の属する技術分野】
本発明は、風雑音を電気的に低減するようにしたマイクロホン装置、再生音声信号の処理装置及び音声信号の風音低減装置に関する。
【０００２】
【従来の技術】
ビデオカメラ（例えば、デジタルビデオカメラ）一体型ＶＴＲ（磁気録画再生装置）では、ある任意の間隔で配置された２個のマイクロホンユニットによる収音に基づくＬ（左）チャンネル及びＲ（右）チャンネルのステレオ音声信号を、記録のための信号処理を施した後、磁気テープに記録するが一般的である。しかし、ビデオカメラ一体型ＶＴＲによって屋外撮影を行うときに、ステレオ音声信号を、これに記録のための信号処理を施しただけで、磁気テープに記録した場合には、その磁気テープからの再生ステレオ音声信号をスピーカ等に供給して放声させた場合に、風音が非常に耳障りとなる。
【０００３】
そこで、従来から、風音低減回路を備えたマイクロホン装置が内蔵されたビデオカメラ一体型ＶＴＲが種々提案されている。以下に、図７を参照して、かかる内蔵マイクロホン装置の従来例の構成を説明する。ＭＣ（Ｌ）、ＭＣ（Ｒ）は、それぞれ左及び右マイクロホンユニットで、矢印で示すように前方方向を向くように配置されている。
【０００４】
左及び右マイクロホンユニットＭＣ（Ｌ）、ＭＣ（Ｒ）よりの、風音信号を含む左及び右チャンネル音声信号１Ｌ、１Ｒは、前置増幅器２（Ｌ）、２（Ｒ）に供給されて増幅される。その前置増幅器２（Ｌ）、２（Ｒ）よりの左及び右チャンネル音声信号２Ｌ及び２Ｒは、ＡＧＣ（自動ゲインコントロール）回路３に供給されて、後段の処理に最適なレベルに自動調整される。
【０００５】
ＡＧＣ回路３よりの左及び右チャンネル音声信号３Ｌ、３Ｒは、それぞれＡ／Ｄ変換器４（Ｌ）、４（Ｒ）に供給されて、左及び右チャンネルデジタル音声信号４Ｌ、４Ｒに変換された後、風音低減回路ＷＳＫに供給される。
【０００６】
以下に、この風音低減回路ＷＳＫについて説明する。風音低減回路ＷＳＫにおいて左及び右チャンネル音声信号（デジタル音声信号）４Ｌ、４Ｒは、先ず、それぞれ遅延器６（Ｌ）、６（Ｒ）に供給されて所定時間遅延されると共に、加算器（減算器）５に供給されて、例えば、左音声信号４Ｌから、右チャンネル音声信号４Ｒが減算される。加算器５よりの差音声信号５Ｓ（＝４Ｌ−４Ｒ）は、ローパスフィルタ（ＬＰＦ）７、１７に供給される。
【０００７】
ローパスフィルタ７のカットオフ周波数は、風音信号の略全帯域を通過させる周波数、例えば、数ｋＨｚ程度に設定される。又、ローパスフィルタ１７のカットオフ周波数は、風音信号の低域を通過させる周波数、例えば、数百Ｈｚ程度に設定される。
【０００８】
ローパスフィルタ１７の出力信号１７Ｓは、増幅器１８にて適当な風音レベルまで増幅され、その増幅された出力信号１８Ｓは、検波処理回路（ＤＥＴ）１９に供給される。尚、この検波処理回路１９の詳細構成については、図８を参照して後述する。検波処理回路１９の出力信号１９Ｓは、波形整形回路２０に供給されて、人間の聴感に合わせたアタック／リカバリ時定数が付与され、そのアタック／リカバリ時定数に応じて波形整形されて、風音検波信号２０Ｓとして出力される。
【０００９】
又、先のローパスフィルタ７の出力信号７Ｓは可変増幅器（係数乗算器）８に供給される。この可変増幅器８は、先の波形整形回路２０よりの風音検波信号２０Ｓによりゲインコントロールされ（風音検波信号のレベルに応じた係数が乗算され）、即ち、風音が大きい、つまり風音検波信号２０Ｓのレベルが大きいときはゲインが上がるように制御され、逆に風音がないとき、つまり風音検波信号２０Ｓのレベルがゼロのときは、ゲインがゼロになるように制御される。
【００１０】
加算器（減算器）１０に、遅延器６（Ｌ）の出力信号６Ｌ及び可変増幅器８の出力信号８Ｓが供給されて、前者の信号から後者の信号が減算されて、出力信号１０Ｌ（＝６Ｌ−８Ｓ）が得られる。又、加算器９に、遅延器６（Ｒ）よりの出力信号６Ｒ及び可変増幅器８よりの出力信号８Ｓが供給されて加算されて、出力信号９Ｒ（＝６Ｒ＋８Ｓ）が得られる。
【００１１】
これらの加算器（減算器）１０及び加算器９による演算の意味は、可変増幅器８のゲインを、例えば、本線信号である出力信号６Ｌ及び６Ｒの０．５倍に設定し、左及び右風音帯域信号を、例えば、Ｌ、Ｒとすれば、Ｌチャンネルの信号は
【００１２】
【数１】
６Ｌ−８Ｓ＝Ｌ−０．５（Ｌ−Ｒ）＝０．５（Ｌ＋Ｒ）
【００１３】
となり、又、Ｒチャンネルの信号は
【００１４】
【数２】
６Ｒ＋８Ｓ＝Ｒ＋０．５（Ｌ−Ｒ）＝０．５（Ｌ＋Ｒ）
【００１５】
となり、数１及び数２の式共、計算結果は０．５（Ｌ＋Ｒ）となる。つまり、加算器９の出力信号９Ｒ及び加算器１０の出力信号１０Ｌにおいては、ローパスフィルタ７を通過した風音帯域信号だけが、両チャンネルの信号を加算したモノラル信号になる。風音信号は音声信号と比較して、両チャンネルの信号の非相関性が非常に高いため、加算することで風音信号のみを大きく低減することができる。又、差分信号７Ｓのローパスフィルタ７による遅延を、遅延器６（Ｌ）、６（Ｒ）によって、本線側で補償しているので、加算器１０、９での信号タイミングを合わせて、より低減効果を上げている。
【００１６】
次に、加算器１０、９の出力信号１０Ｌ、９Ｒは、それぞれ遅延器１２（Ｌ）、１２（Ｒ）に供給されて所定時間遅延されると共に、加算器１１に供給されて加算されて、出力信号１１Ｓ（＝１０Ｌ＋９Ｒ）が得られる。加算器１１の出力信号１１Ｓは、ローパスフィルタ１３に供給される。このローパスフィルタ１３のカットオフ周波数は、ローパスフィルタ７のカットオフ周波数と同様に、風音信号の略全帯域を通過させる周波数、例えば、数ｋＨｚに設定される。
【００１７】
ローパスフィルタ１３の出力信号１３Ｓは、可変増幅器１４に供給される。この可変増幅器１４は、先の波形整形回路２０からの風音検波信号２０Ｓによりゲインコントロールされ（風音検波信号のレベルに応じた係数が乗算され）、即ち、風音が大きい、つまり風音検波信号２０Ｓのレベルが大きいときがゲインが上がるように制御され、逆に風音がないとき、つまり風音検波信号２０Ｓのレベルがゼロのときは、ゲインがゼロになるように制御される。
【００１８】
加算器（減算器）１６に、遅延器１２（Ｌ）の出力信号１２Ｌ及び可変増幅器１４の出力信号１４Ｓが供給されて、前者の信号から後者の信号が減算されて、出力信号１６Ｌ（＝１２Ｌ−１４Ｓ）が得られる。又、加算器（減算器）１５に、遅延器１２（Ｒ）の出力信号１２Ｒ及び可変増幅器１４の出力信号１４Ｓが供給されて、前者の信号から後者の信号が減算されて、出力信号１５Ｒ（＝１２Ｒ−１４Ｓ）が得られる。これらの加算器（減算器）１６、１５による演算の意味は、可変増幅器１４のゲインを、例えば、本線信号である出力信号１２Ｌ及び１２Ｒの０．５倍に設定し、左及び右風音帯域信号を、例えば、Ｌ、Ｒとすれば、Ｌチャンネルの信号は、数１の式から、
【００１９】
【数３】
１２Ｌ−１４Ｓ＝０．５（Ｌ＋Ｒ）−０．５（Ｌ＋Ｒ）＝０
【００２０】
となり、又、Ｒチャンネル信号は、数２の式から
【００２１】
【数４】
１２Ｒ−１４Ｓ＝０．５（Ｌ＋Ｒ）−０．５（Ｌ＋Ｒ）＝０
【００２２】
となり、風音が低減される。
【００２３】
先の遅延器１２（Ｌ）、１２（Ｒ）は、ローパスフィルタ１３による信号の遅延分を本線側で補償するためのもので、加算器１６、１５での信号タイミングを合わせて、より低減効果を上げている。加算器１６、１５の出力信号１６Ｌ、１５Ｒは、以上のように風音信号が低減された音声信号となる。これら出力信号１６Ｌ、１５Ｒは、図示を省略したビデオカメラ一体型ＶＴＲの記録系信号処理回路に供給されて、別途用意された映像信号と共に磁気テープに記録される。この記録系信号処理についての説明は割愛する。
【００２４】
次に図８を参照して、図７の従来のマイクロホン装置における検波処理回路１９の詳細回路を説明する。図８における入力端子１９ＩＮに供給される入力信号は、図７の増幅器１８の出力信号１８Ｓに相当し、出力端子１９ＯＵＴから出力される出力信号は、図７の検波処理回路１９の出力信号１９Ｓに相当する。
【００２５】
先ず、入力端子１９ＩＮからの入力信号は、絶対値化処理回路２１に供給されて、通常は符号が正負に亘る音声信号をたとえば正符号に統一された信号２２として出力される。この信号２２は、レベル検波回路２３に供給されて、包絡線検波される。レベル検波回路２３からの検波信号２４は係数生成回路２５に供給されて、係数、即ち、例えば、８ビット長の２の補数表示信号（０hex 〜７Ｆhex の値、但し、hex は１６進数の意）に変換されて出力される。この係数生成回路２５からの出力信号は、例えば、風音がないときは０hex となり、風音レベルが最大のときは７Ｆhex になるように変換され、その中間レベルにおいては、その風音レベルに応じて中間値が出力するように設定される。
【００２６】
【発明が解決しようとする課題】
図７で説明した従来のマイクロホン装置では、左及び右チャンネル音声信号の非相関成分量を検波して、風音レベルの大小を判断していたため、次のような欠点があった。
【００２７】
１．風音低減回路に供給される信号には、一般的に左及び右チャンネル音声信号間でのレベルバラツキ、即ち、例えば、収音時に使用されるマイクロホンユニット製造上の特性バラツキ、演算増幅器等で構成される前置増幅器（プリアンプ）の特性のバラツキ、入力レベルを一定にして音声を聞きやすくするためのＡＧＣ回路、又、周波数特性を最適化するためのフィルタ回路及びＡ／Ｄ変換器等の特性バラツキが発生し、これらのバラツキが積算される。このため、このバラツキの発生量が大きいと、風音信号以外の左及び右チャンネル音声信号の非相関成分量が増加して、本来の左及び右チャンネル音声信号の一部が風音信号として誤認識されるため、本来の左及び右チャンネル音声信号が低減してしまう。
【００２８】
２．風がマイクロホンユニットに当たることにより、発生する風音は、商品毎に使用するマイクロホンユニットの形状や取り付け方法、周辺のウインドスクリーン（スポンジ、金網等）の形状、マイクロホンユニット間隔等が異なることにより差があり、結果として左及び右チャンネル音声信号の非相関成分量に差が発生してしまい、商品化されたマイクロホン装置の風音低減回路の効果にバラツキが見られた。
【００２９】
３．風音低減回路に供給される信号が、前処理として、例えば、使用される無指向性マイクロホンユニットからの音声信号に基づいて、ステレオ音声信号を得るために、３個以上の無指向性マイクロホンユニットからの音声信号を電気的に処理して、有指向特性のステレオ２チャンネル音声信号を生成するステレオ演算回路などを通すと、左及び右チャンネル音声信号の非相関成分量が増加してしまい、風音信号以外の音声信号も風音信号として誤認識して低減されてしまう。
【００３０】
かかる点に鑑み、本発明は、複数のマイクロホンユニットよりの複数の音声信号に基づく左及び右チャンネル音声信号のそれぞれに含まれる風音信号を低減する風音低減回路を有するマイクロホン装置において、風音低減回路の前段回路における左及び右チャンネル回路の特性のバラツキや、収音時に使用されるマイクロホンユニットの形状、周辺のウインドスクリーン（スポンジ、金網等）の形状、取付け方法、マイクロホンユニット間の間隔等の違いや、収音時に使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することのできるマイクロホン装置を提案しようとするものである。
【００３１】
又、本発明は、記録媒体より再生された、それぞれ風音信号を含む複数の音声信号に基づく左及び右チャンネル音声信号のそれぞれに含まれる風音信号を低減する風音低減回路を有する再生音声信号の処理装置において、風音低減回路の前段回路における左及び右チャンネル回路の特性のバラツキや、録音時に使用されるマイクロホンユニットの形状、周辺のウインドスクリーン（スポンジ、金網等）の形状、取付け方法、マイクロホンユニット間の間隔等の違いや、録音時に使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することのできる再生音声信号の処理装置を提案しようとするものである。
【００３２】
更に、本発明は、それぞれ風音信号を含む複数の音声信号に基づく左及び右チャンネル音声信号のそれぞれに含まれる風音信号を低減する風音低減装置において、風音低減回路の前段回路における左及び右チャンネル回路の特性のバラツキや、収音時における、使用されるマイクロホンユニットの形状、周辺のウインドスクリーン（スポンジ、金網等）の形状、取付け方法、マイクロホンユニット間の間隔等の違いや、収音時における、使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することのできる風音低減装置を提案しようとするものである。
【００３３】
【課題を解決するための手段】
第１の本発明は、複数のマイクロホンユニットと、その複数のマイクロホンユニットよりの複数の音声信号に基づく左及び右チャンネル音声信号のうちの一方の音声信号から他方の音声信号を減算して、差分音声信号を得る減算手段と、その減算手段よりの差分音声信号が供給されて、風音信号の帯域成分を抽出する第１の抽出手段と、その第１の抽出手段よりの抽出信号が供給される第１の可変利得手段と、一方の音声信号から、可変利得手段の出力信号を減算する第１の演算手段と、他方の音声信号及び可変利得手段の出力信号を加算する第２の演算手段と、第１及び第２の演算手段の出力信号を加算する加算手段と、その加算手段の出力信号が供給されて、風音信号の帯域成分を抽出する第２の抽出手段と、その第２の抽出手段よりの抽出信号が供給される第２の可変利得手段と、第１及び第２の演算手段からの出力信号から、第２の可変利得手段の出力信号を減算する第３及び第４の演算手段と、減算手段よりの差分音声信号が供給されて、風音信号の低域成分を抽出する第３の抽出手段と、その第３の抽出手段よりの抽出信号が供給されて、風音信号の調整可能なレベル検波信号を発生する検波手段とを有し、その検波手段よりのレベル検波信号によって、第１及び第２の可変利得手段の利得を可変するようにしたマイクロホン装置である。
【００３４】
かかる第１の本発明によれば、減算手段によって、複数のマイクロホンユニットよりの複数の音声信号に基づく左及び右チャンネル音声信号のうちの一方の音声信号から他方の音声信号を減算して差分音声信号を得る。その減算手段よりの差分音声信号を第１の抽出手段に供給して、風音信号の帯域成分を抽出する。その第１の抽出手段よりの抽出信号を第１の可変利得手段に供給する。第１の演算手段によって、一方の音声信号から、可変利得手段の出力信号を減算する。第２の演算手段によって、他方の音声信号及び可変利得手段の出力信号を加算する。加算手段によって、第１及び第２の演算手段の出力信号を加算する。その加算手段の出力信号を第２の抽出手段に供給して、風音信号の帯域成分を抽出する。その第２の抽出手段よりの抽出信号を第２の可変利得手段に供給する。第３及び第４の演算手段によって、第１及び第２の演算手段からの出力信号から、第２の可変利得手段の出力信号を減算する。減算手段よりの差分音声信号を第３の抽出手段に供給して、風音信号の低域成分を抽出する。その第３の抽出手段よりの抽出信号を検波手段に供給して、風音信号の調整可能なレベル検波信号を発生する。その検波手段よりのレベル検波信号によって、第１及び第２の可変利得手段の利得を可変する。
【００３５】
第２の本発明は、記録媒体より再生された、それぞれ風音信号を含む複数の音声信号に基づく左及び右チャンネル音声信号のうちの一方の音声信号から他方の音声信号を減算して、差分音声信号を得る減算手段と、その減算手段よりの差分音声信号が供給されて、風音信号の帯域成分を抽出する第１の抽出手段と、その第１の抽出手段よりの抽出信号が供給される第１の可変利得手段と、一方の音声信号から、可変利得手段の出力信号を減算する第１の演算手段と、他方の音声信号及び可変利得手段の出力信号を加算する第２の演算手段と、第１及び第２の演算手段の出力信号を加算する加算手段と、その加算手段の出力信号が供給されて、風音信号の帯域成分を抽出する第２の抽出手段と、その第２の抽出手段よりの抽出信号が供給される第２の可変利得手段と、第１及び第２の演算手段からの出力信号から、第２の可変利得手段の出力信号を減算する第３及び第４の演算手段と、減算手段よりの差分音声信号が供給されて、風音信号の低域成分を抽出する第３の抽出手段と、その第３の抽出手段よりの抽出信号が供給されて、風音信号の調整可能なレベル検波信号を発生する検波手段とを有し、その検波手段よりのレベル検波信号によって、第１及び第２の可変利得手段の利得を可変するようにした再生音声信号の処理装置である。
【００３６】
第３の本発明は、それぞれ風音信号を含む複数の音声信号に基づく左及び右チャンネル音声信号のうちの一方の音声信号から他方の音声信号を減算して、差分音声信号を得る減算手段と、その減算手段よりの差分音声信号が供給されて、風音信号の帯域成分を抽出する第１の抽出手段と、その第１の抽出手段よりの抽出信号が供給される第１の可変利得手段と、一方の音声信号から、可変利得手段の出力信号を減算する第１の演算手段と、他方の音声信号及び可変利得手段の出力信号を加算する第２の演算手段と、第１及び第２の演算手段の出力信号を加算する加算手段と、その加算手段の出力信号が供給されて、風音信号の帯域成分を抽出する第２の抽出手段と、その第２の抽出手段よりの抽出信号が供給される第２の可変利得手段と、第１及び第２の演算手段からの出力信号から、第２の可変利得手段の出力信号を減算する第３及び第４の演算手段と、減算手段よりの差分音声信号が供給されて、風音信号の低域成分を抽出する第３の抽出手段と、その第３の抽出手段よりの抽出信号が供給されて、風音信号の調整可能なレベル検波信号を発生する検波手段とを有し、その検波手段よりのレベル検波信号によって、第１及び第２の可変利得手段の利得を可変するようにした音声信号の風音低減装置である。
【００３７】
第４、第５及び第６の本発明は、それぞれ第１の本発明のマイクロホン装置、第２の本発明の再生音声信号の処理装置及び第３の本発明の音声信号の風音低減装置において、検波手段は、第３の抽出手段よりの抽出信号が供給される第３の可変利得手段と、その第３の可変利得手段の出力信号が供給される絶対値化手段と、その絶対値化手段の出力信号が供給される、クリップレベル可変型ベースノイズクリップ手段と、そのクリップレベル可変型ベースノイズクリップ手段よりの出力信号が供給されるレベル検波手段と、そのレベル検波手段の出力信号が供給される、最大リミッタ値可変型最大値リミッタ手段とを備えるものである。
【００３８】
【発明の実施の形態】
以下に、図１を参照して、本発明の実施の形態のマイクロホン装置（音声信号の風音低減装置）の例を詳細に説明するも、図１において、図７と対応する部分には同一符号を付して説明する。尚、このマイクロホン装置は、例えば、ビデオカメラ一体型ＶＴＲ（磁気録画再生装置）に内蔵されている。図１のマイクロホン装置の図７の従来のマイクロホン装置と異なる点は、検波処理回路に代えて、後述する検波コントロール処理回路３０（その詳細回路を図２に示す）を設けた点である。
【００３９】
ＭＣ（Ｌ）、ＭＣ（Ｒ）は、それぞれ左及び右マイクロホンユニットで、矢印に示すように前方方向を向くように配置されている。左及び右マイクロホンユニットＭＣ（Ｌ）、ＭＣ（Ｒ）よりの、風音信号を含む左及び右チャンネル音声信号１Ｌ、１Ｒは、前置増幅器２（Ｌ）、２（Ｒ）に供給されて増幅される。その前置増幅器２（Ｌ）、２（Ｒ）よりの左及び右チャンネル音声信号２Ｌ及び２Ｒは、ＡＧＣ（自動ゲインコントロール）回路３に供給されて、後段の処理に最適なレベルに自動調整される。
【００４０】
ＡＧＣ回路３よりの左及び右チャンネル音声信号３Ｌ、３Ｒは、それぞれＡ／Ｄ変換器４（Ｌ）、４（Ｒ）に供給されて、左及び右チャンネルデジタル音声信号４Ｌ、４Ｒに変換された後、風音低減回路３３に供給される。
【００４１】
以下に、この風音低減回路３３について説明する。風音低減回路３３において左及び右チャンネル音声信号（デジタル音声信号）４Ｌ、４Ｒは、先ず、それぞれ遅延器６（Ｌ）、６（Ｒ）に供給されて所定時間遅延されると共に、加算器（減算器）５に供給されて、例えば、左音声信号４Ｌから、右チャンネル音声信号４Ｒが減算される。加算器５よりの差音声信号５Ｓ（＝４Ｌ−４Ｒ）は、ローパスフィルタ（ＬＰＦ）７、１７に供給される。尚、加算器（減算器）５において、右チャンネル音声信号４Ｌから、左チャンネル音声信号を減算するようにしても良い。
【００４２】
ローパスフィルタ７のカットオフ周波数は、風音信号の略全帯域を通過させる周波数、例えば、数ｋＨｚ程度に設定される。又、ローパスフィルタ１７のカットオフ周波数は、風音信号の低域を通過させる周波数、例えば、数百Ｈｚ程度に設定される。
【００４３】
ローパスフィルタ１７の出力信号１７Ｓは、検波コントロール処理回路３０に供給される。尚、この検波コントロール処理回路３０の詳細構成については後述する。検波コントロール処理回路３０の出力信号３０Ｓは、波形整形回路２０に供給されて、人間の聴感にあわせたアタック／リカバリ時定数が付与され、そのアタック／リカバリ時定数に応じて波形整形されて、風音検波信号２０Ｓとして出力される。この場合、アタック時定数は、例えば、数１０〜数１００ｍsec 程度、リカバリ時定数は、例えば、１０sec 程度である。
【００４４】
又、先のローパスフィルタ７の出力信号７Ｓは可変増幅器（係数乗算器）８にて供給される。この可変増幅器８は、先の波形整形回路２０よりの風音検波信号２０Ｓによりゲインコントロールされ（風音検波信号のレベルに応じた係数が乗算され）、即ち、風音が大きい、つまり風音検波信号２０Ｓのレベルが大きいときはゲインが上がるように制御され、逆に風音がないとき、つまり風音検波信号２０Ｓのレベルがゼロのときは、ゲインがゼロになるように制御される。
【００４５】
加算器（減算器）１０に、遅延器６（Ｌ）の出力信号６Ｌ及び可変増幅器８の出力信号８Ｓが供給されて、前者の信号から後者の信号が減算されて、出力信号１０Ｌ（＝６Ｌ−８Ｓ）が得られる。又、加算器９に、遅延器６（Ｒ）よりの出力信号６Ｒ及び可変増幅器８よりの出力信号８Ｓが供給されて加算されて、出力信号９Ｒ（＝６Ｒ＋８Ｓ）が得られる。
【００４６】
これらの加算器（減算器）１０及び加算器９による演算の意味は、可変増幅器８のゲインを、例えば、本線信号である出力信号６Ｌ及び６Ｒの０．５倍に設定し、左及び右風音帯域信号を、例えば、Ｌ、Ｒとすれば、Ｌチャンネルの信号は
【００４７】
【数５】
６Ｌ−８Ｓ＝Ｌ−０．５（Ｌ−Ｒ）＝０．５（Ｌ＋Ｒ）
【００４８】
となり、又、Ｒチャンネルの信号は
【００４９】
【数６】
６Ｒ＋８Ｓ＝Ｒ＋０．５（Ｌ−Ｒ）＝０．５（Ｌ＋Ｒ）
【００５０】
となり、数５及び数６の式共、計算結果は０．５（Ｌ＋Ｒ）となる。つまり、加算器９の出力信号９Ｒ及び加算器１０の出力信号１０Ｌにおいては、ローパスフィルタ７を通過した風音帯域信号だけが、両チャンネルの信号を加算したモノラル信号になる。風音信号は音声信号と比較して、両チャンネルの信号の非相関性が非常に高いため、加算することで風音信号のみを大きく低減することができる。又、差分信号７Ｓのローパスフィルタ７による遅延を、遅延器６（Ｌ）、６（Ｒ）によって、本線側で補償しているので、加算器１０、９での信号タイミングを合わせて、より低減効果を上げている。
【００５１】
尚、加算器（減算器）５において、右チャンネル音声信号４Ｒから、左チャンネル音声信号４Ｌを減算する場合は、次のようになる。加算器（減算器）１０の代わりに加算器１０が設けられて、加算器１０に、遅延器６（Ｌ）の出力信号６Ｌ及び可変増幅器８の出力信号８Ｓが供給されて加算されて、出力信号１０Ｌ（＝６Ｌ＋８Ｓ）が出力される。又、加算器９の代わりに、加算器（減算器）９が設けられ、加算器（減算器）９に、遅延器６（Ｒ）よりの出力信号６Ｒ及び可変増幅器８よりの出力信号８Ｓが供給されて、前者の信号から後者の信号が減算され、出力信号９Ｒ（＝６Ｒ−８Ｓ）が得られる。
【００５２】
次に、加算器１０、９の出力信号１０Ｌ、９Ｒは、それぞれ遅延器１２（Ｌ）、１２（Ｒ）に供給されて所定時間遅延されると共に、加算器１１に供給されて加算されて、出力信号１１Ｓ（＝１０Ｌ＋９Ｒ）が得られる。加算器１１の出力信号１１Ｓは、ローパスフィルタ１３に供給される。このローパスフィルタ１３のカットオフ周波数は、ローパスフィルタ７のカットオフ周波数と同様に、風音信号の略全帯域を通過させる周波数、例えば、数ｋＨｚに設定される。
【００５３】
ローパスフィルタ１３の出力信号１３Ｓは、可変増幅器（係数乗算器）１４に供給される。この可変増幅器１４は、先の波形整形回路２０からの風音検波信号２０Ｓによりゲインコントロールされ（風音検波信号のレベルに応じた係数が掛け算され）、即ち、風音が大きい、つまり風音検波信号２０Ｓのレベルが大きいときがゲインが上がるように制御され、逆に風音がないとき、つまり風音検波信号２０Ｓのレベルがゼロのときは、ゲインがゼロになるように制御される。
【００５４】
加算器（減算器）１６に、遅延器１２（Ｌ）の出力信号１２Ｌ及び可変増幅器１４の出力信号１４Ｓが供給されて、前者の信号から後者の信号が減算されて、出力信号１６Ｌ（＝１２Ｌ−１４Ｓ）が得られる。又、加算器（減算器）１５に、遅延器１２（Ｒ）の出力信号１２Ｒ及び可変増幅器１４の出力信号１４Ｓが供給されて、前者の信号から後者の信号が減算されて、出力信号１５Ｒ（＝１２Ｒ−１４Ｓ）が得られる。これらの加算器（減算器）１６、１５による演算の意味は、可変増幅器（係数乗算器）８のゲインを、例えば、本線信号である出力信号１２Ｌ及び１２Ｒの０．５倍に設定し、左及び右風音帯域信号を、例えば、Ｌ、Ｒとすれば、Ｌチャンネルの信号は、数５の式から、
【００５５】
【数７】
１２Ｌ−１４Ｓ＝０．５（Ｌ＋Ｒ）−０．５（Ｌ＋Ｒ）＝０
【００５６】
となり、又、Ｒチャンネル信号は、数６の式から
【００５７】
【数８】
１２Ｒ−１４Ｓ＝０．５（Ｌ＋Ｒ）−０．５（Ｌ＋Ｒ）＝０
【００５８】
となり、風音が低減される。
【００５９】
先の遅延器１２（Ｌ）、１２（Ｒ）は、ローパスフィルタ１３による信号の遅延分を本線側で補償するためのもので、加算器１６、１５での信号タイミングを合わせて、より低減効果を上げている。加算器１６、１５の出力信号１６Ｌ、１５Ｒは、以上のように風音信号が低減された音声信号となる。これら出力信号１６Ｌ、１５Ｒは、図示を省略したビデオカメラ一体型ＶＴＲの記録系信号処理回路に供給されて、別途用意された映像信号と共に磁気テープに記録される。この記録系信号処理については本発明のポイントから外れるため説明は割愛する。
【００６０】
次に、図２を参照して、図１における検波コントロール処理回路３０の詳細構成を説明する。検波コントロール処理回路３０の入力端子３０ＩＮに供給される入力信号は、図１におけるローパスフィルタ１７の出力信号１７Ｓに相当し、出力端子３０ＯＵＴよりの出力信号は、図１における検波コントロール処理回路３０よりの出力信号３０Ｓに相当する。
【００６１】
先ず、入力端子３０ＩＮに供給される入力信号は、可変増幅器（係数乗算器）４０に供給される。可変増幅器（係数乗算器）４０は、入力端子３１に供給される、外部からの検波コントロール信号によってゲインコントロールされる。次に、可変増幅器４０の出力信号４１は、絶対値化処理４２に供給されて、符号が正符号に統一される。その符号が正符号に統一された出力信号４３はベースノイズクリップ回路４４に供給されて、信号４３の小信号部分をクリップしてゼロにされ、即ち、このクリップ値以下では結果的に風音検波信号がゼロとなる。又、このクリップ値は、入力端子３１に供給される、外部からの検波コントロール信号によって制御できる。
【００６２】
次に、クリップ回路４４の出力信号４５がレベル検波回路４６に供給されて、図８の従来例と同様に包絡線検波される。この検波出力信号４７は図８の従来例と同様に、係数生成回路４８に供給されて、係数、例えば、８ビット長の２の補数表示信号（０hex 〜７Ｆhex の値）に変換される。係数生成回路４８の出力信号は、一例では風音がないときは０hex となり、風音レベルが最大のときは７Ｆhex になり、その中間レベルにおいては、その風音レベルに応じて中間値となる。次に、形成生成回路４８の出力信号４９は、ＭＡＸ（最大値）リミッタ５０に供給されて、先に生成された係数の最大リミッタ値を制御する。即ち、係数生成回路４８からは、０hex 〜７Ｆhex の値の出力信号４９が出力されるが、ＭＡＸリミッタ５０の存在によって、最大リミッタ値を、例えば、４０hex にした場合は、ＭＡＸリミッタ５０からは０hex 〜４０hex の範囲内の値が出力されることになる。又、この最大リミッタ値は、入力端子３１に供給される検波コントロール信号で外部から制御できるようにしている。
【００６３】
次に、図３を参照して、図２の検波コントロール処理回路３０の動作を具体的に説明する。まず図３Ａに示す任意波形の入力信号を、入力端子３０ＩＮを通じて、可変増幅器４０に供給して、適当なレベルにゲインコントロールされて増幅された増幅出力信号４１の波形を、図３Ｂに示す。この増幅出力信号４１を絶対値化回路４２に供給して絶対値化して得た絶対値化出力信号、即ち、正符号に折り返された出力信号４３の波形を、図３Ｃに示す。この出力信号４３は、ベースノイズクリップ回路４４で、図３Ｄの１）に示す破線のベースノイズクリップ値５３でクリップされて、図３Ｄの２）に示すように、ベースノイズクリップ値５３以下の小信号は無くなり、ベースノイズクリップ値５３より上の波形の信号４５が残る。これは風音信号に言い換えれば、例えば、そよ風のような微風は検波せずに、従って、微風の風音信号は低減処理しないような設定が可能になり、又、音声信号のチャンネル間非相関成分に対しても風音低減しないようにできる。
【００６４】
次に、クリップ回路４４の出力信号４５を、レベル検波回路４６に供給して包絡線検波して得た検波出力信号の波形を、図３Ｅに５１として示す。このレベル検波回路４６よりの検波出力信号４７を係数生成回路４８に供給すると、その出力信号４９は、図３Ｆに示す如く、０hex 〜７Ｆhex の係数に割り当てられる。この係数生成回路４８の出力信号４９を、ＭＡＸリミッタ５０に供給すると、その出力信号は、図３Ｇに示す如く、破線で示す最大リミッタ値５２（例えば、４０hex ）以下に、即ち、０hex 〜４０hex の値に制限される。これにより風音の低減効果を抑えるような働きをさせることができる。
【００６５】
尚、図１及び図２における検波コントロール処理回路３０に、入力端子３１を通じて、外部より供給する検波コントロール信号３１は、マイコン等により容易に制御でき、例えば、図２における可変増幅器４０、ベースノイズクリップ回路４４、ＭＡＸリミッタ５０をそれぞれ独立に各１６ステップで制御するには、１２ビット長の制御信号になり、またそれぞれを連動して動作させることも可能である。
【００６６】
次に、図４を参照して、本発明の実施の形態のマイクロホン装置（音声信号の風音低減装置）の他の例を説明する。尚、図４において、図１と対応する部分には、同一符号を付してある。以下の説明では、図４において、図１と異なる部分のみを説明し、重複説明は省略する。図４のマイクロホン装置では、可変増幅器（係数乗算器）８によって制御される、Ｌ及びＲチャンネル信号の非相関成分（逆相成分）に含まれる風音成分のゲインと、可変増幅器（係数乗算器）１４によって制御される、Ｌ及びＲチャンネル信号の相関成分（同相成分）に含まれる風音成分のゲインとを、独立して検波コントロール処理制御するものである。
【００６７】
ここで、風音低減処理における逆相成分と、同相成分との違いについて説明する。風音低減処理は２個の比較的近接して配置されたマイクロホンユニットからの入力信号を想定するため、風音信号と同時に入力する同じ帯域の音声信号は、殆ど同相成分が支配的である。これに対して風音信号は逆相成分が支配的であるため、ほとんどの風音信号は前段の逆相成分除去で低減され、前段で同相となった残りの風音成分（数５、数６の式参照）は、後段の同相成分除去にて低減される（数７、数８の式参照）が、このときに同相成分である音声信号も除去される不具合が生じる。このため、後段側の同相成分除去については、音声成分をあまり除去しない程度に、図２に示したＭＡＸリミッタ５０で低減効果を落としたり、ベースノイズクリップ回路４４で、小信号レベルは除去しないようにすることが有効となる。
【００６８】
そこで、図４のマイクロホン装置の例では、ローパスフィルタ１７の出力信号１７Ｓを、各別の検波コントロール処理回路３０、６２に供給するようにする。そして、検波コントロール処理回路６２を、入力端子６１よりの検波コントロール信号にて制御し、処理された出力信号６２Ｓは波形整形回路６３に供給して、波形整形回路２０と同様の処理を行う。波形整形回路６３から得られたゲインコントロール信号６３Ｓによって、可変増幅器１４のゲインを制御するようにする。又、検波コントロール処理回路３０側の波形整形回路２０よりのゲインコントロール信号によって、可変増幅器８のゲインを制御する。入力端子３１、６１に各別に供給される検波コントロール信号を、マイクロコンピュータ等によって個別に発生させるようにする。
【００６９】
次に、図５を参照して、本発明の実施の形態のマイクロホン装置の更に他の例を説明する。ＭＣ（Ｌ）、ＭＣ（Ｃ）及びＭＣ（Ｒ）は、それぞれ左、中央及び右マイクロホンユニットで、ここでは、全て無指向性マイクロホンユニットである。これら無指向性マイクロホンユニットＭＣ（Ｌ）、ＭＣ（Ｃ）及びＭＣ（Ｒ）よりの左、中央及び右チャンネル音声信号１Ｌ、１Ｃ、１Ｒを、前置増幅器２（Ｌ）、２（Ｃ）、２（Ｒ）に供給してそれぞれ増幅し、その増幅された左、中央及び右チャンネル音声信号２Ｌ、２Ｃ、２Ｒを、ステレオ化演算回路８０に供給して、チャンネル音声信号間のセパレーション処理及びマトリクス処理を行って、左及び右チャンネル音声信号８０Ｌ（＝２Ｌ−α２Ｃ）、８０Ｒ（＝２Ｒ−α２Ｃ）に変換する。ここで、αは、０＜α＜１の値の係数である。このステレオ化演算回路８０によって、非相関性が増しても風音検波処理の最適化により音声信号に影響を与えず、風音低減が可能となる。
【００７０】
そして、このステレオ化演算回路８０よりの左及び右チャンネル音声信号８０Ｌ、８０Ｒを、ＡＧＣ回路３に供給して、後段の処理に最適なレベルに自動調整した後、それぞれＡ／Ｄ変換器４（Ｌ）、４（Ｒ）に供給して、左及び右チャンネルデジタル音声信号４Ｌ、４Ｒに変換する。これら左及び右チャンネル音声信号４Ｌ、４Ｒを風音低減回路８１に供給して、風音低減を行い、得られた左及び右チャンネル音声信号８１Ｌ、８１Ｒを、ビデオカメラ一体型ＶＴＲの記録系信号処理回路（図示せず）に供給して、別途用意した映像信号と共に、磁気テープに記録する。風音低減回路８１には、入力端子８２よりの検波コントロール信号が供給される。尚、風音低減回路８１の具体構成は、図１の風音低減回路３３や図４の風音低減回路６０を採用し得る。
【００７１】
次に、図６を参照して、本発明の実施の形態の再生音声信号の処理装置の一例を説明する。７０は、ＶＴＲ等の記録／再生装置、例えば、磁気テープを磁気記録媒体としたデジタル磁気録画再生装置が可能である。ここでは磁気テープから再生されたＲＦ信号を再生映像音声信号７１に変換し、その再生系映像音声信号７１を、再生系信号処理７２に供給する。再生系信号処理７２では、再生系映像音声信号７１から分離された映像信号及び音声信号のデフレーミング処理、映像系の伸張処理、音声系のデシャフリング処理等を行って、左及び右チャンネルデジタル音声信号７２Ｌ、７２Ｒを得る。尚、映像系の信号処理は本発明のポイントから外れるため図示および説明を割愛する。
【００７２】
次に、左及び右チャンネル音声信号７２Ｌ、７２Ｒを、図１の風音低減回路３３や、図４の風音低減回路６０と同様の構成の風音低減回路７３に供給して、風音低減処理を行う。この風音低減回路７３には、入力端子７６よりの検波コントロール信号が供給されて制御される。風音低減された左及び右チャンネルデジタル音声信号７３Ｌ、７３Ｒは、Ｄ／Ａ変換器７４（Ｌ）、７４（Ｒ）に供給されて、左及び右チャンネルアナログ音声信号７４Ｌ、７４Ｒに変換される。これら左及び右チャンネル音声信号７４Ｌ、７４Ｒは、それぞれ増幅器７５（Ｌ）、７５（Ｒ）に供給されて増幅され、それぞれ増幅された左及び右チャンネル音声信号（Ｌｃｈ、Ｒｃｈ出力）は、図示を省略するも、スピーカー等の各種再生装置に供給される。
【００７３】
例えば、３個の無指向性マイクロホンユニットよりの各音声信号間に、レベル差や位相差が多い場合において、各音声信号をアナログステレオ化演算回路に供給して、左及び右チャンネル音声信号に変換してから、ＶＴＲ等の記録／再生装置７０に供給して、記録のための信号処理を行った後磁気テープに記録し、その磁気テープからの再生信号を、再生系処理回路７２に供給して再生のための信号処理を行って、左及び右チャンネル音声信号７２Ｌ、７２Ｒを得て、風音低減回路７３に供給して風音低減を行う場合を考える。
【００７４】
この場合は、アナログステレオ化演算回路のコンデンサ、抵抗器等のアナログ素子の特性のバラツキによって、風音低減回路７３において、風音信号のみならず、音声信号も低減されてしまうおそれがある。。この場合は、風音低減回路７３の後段側だけでなく、前段側も音声成分をあまり除去しない程度に、ＭＡＸリミッタで低減効果を落としたり、ベースノイズクリップ回路で小信号レベルは除去しないようにすることにより、音声信号の一部の低減を抑えることができる。
【００７５】
尚、特に説明していないが、図５及び図６のマイクロホン装置の例でも、図４の例のように、前段及び後段の各可変増幅器のゲインを、各別の検波コントロール処理回路及び各別波形整形回路を経て得た風音検波信号によって、各別に制御するようにしても良い。
【００７６】
上述の本発明の実施の形態のマイクロホン装置、再生音声信号の処理装置及び音声信号の風音低減装置の各例によれば、風音低減回路（風音低減装置）の前段回路における左及び右チャンネル回路の特性のバラツキ（例えば、使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、使用されるマイクロホンユニットの形状、周辺のウインドスクリーン（スポンジ、金網）の形状、、取付け方法、マイクロホンユニット間の間隔等の違いや、録音時（収音時）における、使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することができる。
【００７７】
【発明の効果】
第１の本発明によれば、複数のマイクロホンユニットと、その複数のマイクロホンユニットよりの複数の音声信号に基づく左及び右チャンネル音声信号のうちの一方の音声信号から他方の音声信号を減算して、差分音声信号を得る減算手段と、その減算手段よりの差分音声信号が供給されて、風音信号の帯域成分を抽出する第１の抽出手段と、その第１の抽出手段よりの抽出信号が供給される第１の可変利得手段と、一方の音声信号から、可変利得手段の出力信号を減算する第１の演算手段と、他方の音声信号及び可変利得手段の出力信号を加算する第２の演算手段と、第１及び第２の演算手段の出力信号を加算する加算手段と、その加算手段の出力信号が供給されて、風音信号の帯域成分を抽出する第２の抽出手段と、その第２の抽出手段よりの抽出信号が供給される第２の可変利得手段と、第１及び第２の演算手段からの出力信号から、第２の可変利得手段の出力信号を減算する第３及び第４の演算手段と、減算手段よりの差分音声信号が供給されて、風音信号の低域成分を抽出する第３の抽出手段と、その第３の抽出手段よりの抽出信号が供給されて、風音信号の調整可能なレベル検波信号を発生する検波手段とを有し、その検波手段よりのレベル検波信号によって、第１及び第２の可変利得手段の利得を可変するようにしたので、風音低減回路の前段回路における左及び右チャンネル回路の特性のバラツキ（例えば、収音に使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、収音時に使用されるマイクロホンユニットの形状、周辺のウインドスクリーン（スポンジ、金網）の形状、取付け方法、マイクロホンユニット間の間隔等の違いや、収音時に使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することのできるマイクロホン装置を得ることができる。
【００７８】
第２の本発明によれば、記録媒体より再生された、それぞれ風音信号を含む複数の音声信号に基づく左及び右チャンネル音声信号のうちの一方の音声信号から他方の音声信号を減算して、差分音声信号を得る減算手段と、その減算手段よりの差分音声信号が供給されて、風音信号の帯域成分を抽出する第１の抽出手段と、その第１の抽出手段よりの抽出信号が供給される第１の可変利得手段と、一方の音声信号から、可変利得手段の出力信号を減算する第１の演算手段と、他方の音声信号及び可変利得手段の出力信号を加算する第２の演算手段と、第１及び第２の演算手段の出力信号を加算する加算手段と、その加算手段の出力信号が供給されて、風音信号の帯域成分を抽出する第２の抽出手段と、その第２の抽出手段よりの抽出信号が供給される第２の可変利得手段と、第１及び第２の演算手段からの出力信号から、第２の可変利得手段の出力信号を減算する第３及び第４の演算手段と、減算手段よりの差分音声信号が供給されて、風音信号の低域成分を抽出する第３の抽出手段と、その第３の抽出手段よりの抽出信号が供給されて、風音信号の調整可能なレベル検波信号を発生する検波手段とを有し、その検波手段よりのレベル検波信号によって、第１及び第２の可変利得手段の利得を可変するようにしたので、風音低減回路の前段回路における左及び右チャンネル回路の特性のバラツキ（例えば、録音時に使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、録音時に使用されるマイクロホンユニットの形状、周辺のウインドスクリーン（スポンジ、金網）の形状、取付け方法、マイクロホンユニット間の間隔等の違いや、録音時に使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することのできる再生音声信号の処理装置を得ることができる。
【００７９】
第３の本発明によれば、それぞれ風音信号を含む複数の音声信号に基づく左及び右チャンネル音声信号のうちの一方の音声信号から他方の音声信号を減算して、差分音声信号を得る減算手段と、その減算手段よりの差分音声信号が供給されて、風音信号の帯域成分を抽出する第１の抽出手段と、その第１の抽出手段よりの抽出信号が供給される第１の可変利得手段と、一方の音声信号から、可変利得手段の出力信号を減算する第１の演算手段と、他方の音声信号及び可変利得手段の出力信号を加算する第２の演算手段と、第１及び第２の演算手段の出力信号を加算する加算手段と、その加算手段の出力信号が供給されて、風音信号の帯域成分を抽出する第２の抽出手段と、その第２の抽出手段よりの抽出信号が供給される第２の可変利得手段と、第１及び第２の演算手段からの出力信号から、第２の可変利得手段の出力信号を減算する第３及び第４の演算手段と、減算手段よりの差分音声信号が供給されて、風音信号の低域成分を抽出する第３の抽出手段と、その第３の抽出手段よりの抽出信号が供給されて、風音信号の調整可能なレベル検波信号を発生する検波手段とを有し、その検波手段よりのレベル検波信号によって、第１及び第２の可変利得手段の利得を可変するようにしたので、風音低減回路の前段回路における左及び右チャンネル回路の特性のバラツキ（例えば、使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、使用されるマイクロホンユニットの形状、周辺のウインドスクリーン（スポンジ、金網）の形状、取付け方法、マイクロホンユニット間の間隔等の違いや、使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを確実に低減することのできる。
【００８０】
第４の本発明によれば、第１の本発明において、検波手段は、第３の抽出手段よりの抽出信号が供給される第３の可変利得手段と、その第３の可変利得手段の出力信号が供給される絶対値化手段と、その絶対値化手段の出力信号が供給される、クリップレベル可変型ベースノイズクリップ手段と、そのクリップレベル可変型ベースノイズクリップ手段よりの出力信号が供給されるレベル検波手段と、そのレベル検波手段の出力信号が供給される、最大リミッタ値可変型最大値リミッタ手段とを備えるので、風音低減回路の前段回路における左及び右チャンネル回路の特性のバラツキ（例えば、収音時に使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、収音時に使用されるマイクロホンユニットの形状、周辺のウインドスクリーン（スポンジ、金網）の形状、取付け方法、マイクロホンユニット間の間隔等の違いや、収音時に使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを一層確実に低減することのできるマイクロホン装置を得ることができる。
【００８１】
第５の本発明によれば、第２の本発明において、検波手段は、第３の抽出手段よりの抽出信号が供給される第３の可変利得手段と、その第３の可変利得手段の出力信号が供給される絶対値化手段と、その絶対値化手段の出力信号が供給される、クリップレベル可変型ベースノイズクリップ手段と、そのクリップレベル可変型ベースノイズクリップ手段よりの出力信号が供給されるレベル検波手段と、そのレベル検波手段の出力信号が供給される、最大リミッタ値可変型最大値リミッタ手段とを備えるので、風音低減回路の前段回路における左及び右チャンネル回路の特性のバラツキ（例えば、録音時に使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、録音時に使用されるマイクロホンユニットの形状、周辺のウインドスクリーン（スポンジ、金網）の形状、取付け方法、マイクロホンユニット間の間隔等の違いや、録音時に使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを一層確実に低減することのできる再生音声信号の処理装置を得ることができる。
【００８２】
第６の本発明によれば、第３の本発明において、検波手段は、第３の抽出手段よりの抽出信号が供給される第３の可変利得手段と、その第３の可変利得手段の出力信号が供給される絶対値化手段と、その絶対値化手段の出力信号が供給される、クリップレベル可変型ベースノイズクリップ手段と、そのクリップレベル可変型ベースノイズクリップ手段よりの出力信号が供給されるレベル検波手段と、そのレベル検波手段の出力信号が供給される、最大リミッタ値可変型最大値リミッタ手段とを備えるので、風音低減回路の前段回路における左及び右チャンネル回路の特性のバラツキ（例えば、使用されるマイクロホンユニットの製造上のバラツキ、演算増幅器等で構成される前置増幅器の特性のバラツキ、入力レベルを一定にして音声を聞き易くするためのＡＧＣ回路、周波数特性を最適化するためのフィルタ回路及びＡ／Ｄ変換器の特性のバラツキ並びにこれらのバラツキの積算等）や、使用されるマイクロホンユニットの形状、周辺のウインドスクリーン（スポンジ、金網）の形状、取付け方法、マイクロホンユニット間の間隔等の違いや、使用される３個以上のマイクロホンユニットよりの音声信号のステレオ化演算処理回路による左及び右チャンネル音声信号への変換により、風音信号以外の左及び右チャンネル音声信号の非相関成分量が増加しても、左及び右チャンネル音声信号から、風音信号だけを一層確実に低減することのできる音声信号の風音低減装置を得ることができる。
【図面の簡単な説明】
【図１】本発明の実施の形態のマイクロホン装置の一例を示すブロック線図である。
【図２】図１のマイクロホン装置の検波コントロール処理回路の一具体例を示すブロック線図である。
【図３】図２の検波コントロール処理回路の動作説明に供する各部の波形図である。
【図４】本発明の実施の形態のマイクロホン装置の他の一例を示すブロック線図である。
【図５】本発明の実施の形態のマイクロホン装置の更に他の一例を示すブロック線図である。
【図６】本発明の実施の形態の再生音声信号の処理装置の一例を示すブロック線図である。
【図７】従来のマイクロホン装置を示すブロック線図である。
【図８】図７の従来のマイクロホン装置の検波処理回路の具体例を示すブロック線図である。
【符号の説明】
ＭＣ（Ｌ）、ＭＣ（Ｒ）  左及び右マイクロホンユニット、２（Ｌ）、２（Ｒ）  前置増幅器、３  ＡＧＣ回路、４（Ｌ）、４（Ｒ）  Ａ／Ｄ変換器、５  加算器、６（Ｌ）、６（Ｒ）  遅延器、７  ローパスフィルタ、８  可変増幅器（係数乗算器）、９  加算器、１０  加算器（減算器）、１１  加算器、１２（Ｌ）、１２（Ｒ）  遅延器、１３  ローパスフィルタ、１４  可変増幅器（係数乗算器）、１５、１６  加算器（減算器）、１７  ローパスフィルタ、２０  波形整形回路、３０  検波コントロール処理回路、３０ＩＮ  入力端子、３０ＯＵＴ出力端子、３１  入力端子、３３  風音低減回路（風音低減装置）、４０  可変増幅器（係数乗算器）、４２  絶対値化回路、４４  ベースノイズクリップ回路、４６  レベル検波回路、４８  係数生成回路、５０  ＭＡＸリミッタ。
【図１】
0004144140.tif 000002
【図２】
0004144140.tif 000003
【図３】
0004144140.tif 000004
【図４】
0004144140.tif 000005
【図５】
0004144140.tif 000006
【図６】
0004144140.tif 000007
【図７】
0004144140.tif 000008
【図８】
0004144140.tif 000009